(57)【要約】【課題】本発明は、マーカーによるインキが消し難い筆記面を有する電子黒板装置やホワイトボードなどにおいて、消去性の向上したイレイサーを提供することを目的としている。更に、汚れた部分を容易に切断除去可能なイレイサーを提供することを目的としている。【解決手段】本発明は、上記課題を解決するため、本体ケースと、前面に複数の開口を有し、この開口が設けられた前面を露出して前記本体ケース内に配置される第２のケース体と、この第２のケース体の前記複数の開口から出し入れ可能に配置されたメラミンフォーム拭き取り部とを有することを特徴としている。【選択図】図１
2008273157.tif 000002
【特許請求の範囲】
【請求項１】
筆記面にマーカーによって筆記された画像を拭き取るイレイサーにおいて、本体ケースと、前面に複数の開口を有し、この開口が設けられた前面を露出して前記本体ケース内に配置される第２のケース体と、この第２のケース体の前記複数の開口から出し入れ可能に配置されたメラミンフォーム拭き取り部とを有することを特徴とするイレイサー。
【請求項２】
前記メラミンフォーム拭き取り部は、夫々直方体状に構成され、前記メラミンフォーム拭き取り部の端部が、前記本体ケース内の保持部に接するように配置されることを特徴とする請求項１項記載のイレイサー。
【請求項３】
前記メラミンフォーム拭き取り部は、くし型に構成され、くし歯部分が、前記第２のケースの開口から露出するように配置されることを特徴とする請求項１項記載のイレイサー。
【請求項４】
前記本体ケースを前記第２のケース体に対して、押し下げることで、前記第２のケース体の開口から露出するメラミンフォーム拭き取り部を押出す構造を有することを特徴とする請求項１項記載のイレイサー。
【請求項５】
前記本体ケースの上面に、前記第２のケース体の開口から露出するメラミンフォーム拭き取り部を押出す手段を設けたことを特徴とする請求項１項記載のイレイサー。
【発明の詳細な説明】
【技術分野】
【０００１】本発明は、会議などで用いられる電子黒板装置やホワイトボードに使用するイレイサーに関するものである。
【背景技術】
【０００２】電子黒板装置は、白色の書込みシートに、マーカーで文字や図形を記入すると共に、この記入した表面を光学センサーにて画像情報として読み取り、読み取った画像情報を縮小して紙に印刷し、或いは記録する機能を有することを特徴としている。また、ホワイトボードは、マーカーによって筆記する白色の筆記面を有しているが、読取装置を有さない装置である。【０００３】これらの装置は、会議など用いられるものであり、マーカーによる筆記と消去が即座に行えるように、書き込みシートや筆記ボードは、マーカーによる筆記が確実に行えると共に、筆記面のインキがイレイサーによって容易に除去できるように、ＵＶ硬化型ハードコート加工が施され、光沢のある表面とされている。【０００４】
【特許文献１】特開２００１−４７７９４号
【特許文献１】特開２００３−２１１８９５号
【発明の開示】
【発明が解決しようとする課題】
【０００５】電子黒板装置を用いて議事録を作成しながら行う会議において、プロジェクタ装置が併用して用いられることがある。
例えば、パソコンで作成した書面の画像を、拡大して投影し参照すると共に、会議の議事録を電子黒板に筆記しながら会議を進行するような利用がされる。
このような会議の場合、従来は、プロジェクタ装置は専用の投影スクリーンに画像を投影し、議事録などの筆記は、マーカーを用いて電子黒板或いはホワイトボードに行われている。【０００６】これに対して、電子黒板装置の筆記面に、プロジェクタ画像を投影し、プロジェクタ画像と筆記画像を合成して保存、或いは印刷する技術が古くから検討されている。
しかしながら、従来の電子黒板装置の筆記面は、先に説明したとおり、筆記性、消去性を優先させるため、光沢のある面で構成されており、プロジェクタ装置からの投影光が志向性を持って強く反射され、投影画像が見にくいという問題があった。【０００７】この問題を解決する手段として、電子黒板装置の筆記シートを光沢を持たないマット調のものとすることが考えられている。
しかしながら、このようなスクリーンでは、マーカーによる筆記が、イレイサーによって消し難いという問題があった。
【課題を解決するための手段】
【０００８】上記課題を解決するため、本発明は、筆記面にマーカーによって筆記された画像を拭き取るイレイサーにおいて、本体ケースと、前面に複数の開口を有し、この開口が設けられた前面を露出して前記本体ケース内に配置される第２のケース体と、この第２のケース体の前記複数の開口から出し入れ可能に配置されたメラミンフォーム拭き取り部とを有することを特徴としている。【０００９】また、メラミンフォーム部材の使用によって汚れた部分を、切断除去するために、ケースの開口から押出す構造を有することを特徴としている。
【発明の効果】
【００１０】本発明によれば、例えば、マーカーで消し難い筆記面でも、容易にマーカの筆記を消去できると共に、筆記の消去によって汚れた部分を容易に除去できるという効果を有する。
【発明を実施するための最良の形態】
【００１１】以下、本発明を実施するための最良の形態について、図面を参照して詳細に説明する。
【実施例】
【００１２】以下、図に沿って本発明の一実施例を説明する。
図１は本発明の一実施例を示す正面断面図である。
１は本体ケース、２はケースの下面を構成する第２のケース体、３は第２のケース体の表面に複数設けられた開口、４は複数の直方体状のメラミンフォーム材で構成された拭き取り部、５は本体ケース内に配置される保持部材である。
このメラミンフォーム拭き取り部４を、図示しない筆記面上で移動させることにより、マーカーのインキが除去される。
メラミンフォームは伸縮性のある発砲体であり、前記第２のケース体の開口と圧接するような大きさに成型されている。【００１３】本体ケース１と内部ケース体２は樹脂材により成型されており、接合する表面には、互いに対応する凹凸部が設けられ、本体ケース１を第２のケース体２に対して、相対的に押し下げることが可能となっている。
この押し下げによって、メラミンフォーム拭き取り部４は、開口３から押出される。【００１４】メラミンフォーム材は、汚れを落とす効果が高いことで知られ、例えば食器洗浄のためのスポンジとして用いられている。
このメラミンフォームの効果を最大限用いるために、拭き取り部は複数のメラミンフォーム材を離間して配置するように構成されている。
すなわち、筆記面に大きな面で接合するよりも、局所的に接合する方が力がその部分に集中し、筆記面のインクを強く引き剥がすことが可能となる。【００１５】メラミンフォーム拭き取り部４が汚れたら、本体ケース１を押し下げることで、メラミンフォーム拭き取り部４を押出し、カッターなどを用い、前記第２のケース体２の表面に沿って切断し除去する。【００１６】図２に、第２の実施例を示す。
本実施例では、複数のメラミンフォーム直方体を連結部によって一体構成とした、くし型の拭き取り部４を用いている。
前述の別体のメラミンフォーム直方体を用いる第１の実施例の場合、メラミンフォーム直方体の一端を保持する保持部材が必要となるが、この第２の実施例では不要となる。
メラミンフォーム拭き取り部４が汚れたら、第１の実施例と同様に、本体ケースを押し下げることで、メラミンフォーム拭き取り部を押出し、図示しないカッターなどを用い、前記第２のケース体の表面に沿って切断除去する。
所定量以上除去した後は、本体ケース１と第２のケース体とを分離して、本体ケース内に、新しいメラミンフォーム拭き取り部を補充する。【００１７】図３に第２の実施例の各部材を分離した状態の斜視図を示す。
本体ケース１の上面は、本イレイサーを使用する際に持ちやすいように、湾曲面を構成している。
本体ケース１と第２のケース体２とは、複数の対応する凹凸部で係合されているが、図示しない筆記面のマーカーを消去する場合は、使用者が本体ケースの側面を手で持って、操作するため、凹凸部に摩擦力を加えることになり、本体ケース１と第２のケース体２とは確実に固定される。一方、メラミンフォーム拭き取り部４を押し下げたい場合は、本体ケース１の上面を押すことで、係合部は引き剥がされる方向に力が作用し、容易に押し下げることができる。【００１８】図４に第３の実施例を示す。
この実施例では、本体ケース１の上部に、メラミンフォーム拭き取り部４を押出す部材５を有している。
尚、この押出し部材５は、本体ケース１を保持した状態で、押し下げると、メラミンフォーム拭き取り部４は、第２のケース部２の開口から押出され、押し下げを終えて手を離すと、バネの弾性力で押出し部材５のみ元の位置に戻るように構成されている。
本実施例も先の実施例と同様に、本体ケース１と第２のケース体２とを分離して、メラミンフォーム拭き取り部４を交換することが可能である。【００１９】図５に第４の実施例を示す。
この実施例では、メラミンフォーム拭き取り部４の汚れた部分を切り取るために、第２のケース体の表面に沿って移動できるカッター６を配置している。
第２のケース体の長手方向の側面に設けられた溝に沿って、カッター６を移動させることにより、メラミンフォーム拭き取り部が、部分的に切断除去される。【００２０】本発明は、上述の実施例に限定されるものではなく、例えば、本体ケース、及び内部ケース体の形状などは異なるものであってもよい。
また、本体ケースや内部ケース体は、木材或いは金属で構成してもよい。
【産業上の利用可能性】
【００２１】本発明は、マーカーインクが消し難い筆記面を有する、電子黒板装置やホワイトボード或いは筆記ボード文具のイレイサーとして用いることが可能である。
【図面の簡単な説明】
【００２２】
【図１】図１は、本発明の第１実施例の形態に係る構成を示す正面断面図である。
【図２】図２は、本発明の第２実施例の形態に係る構成を示す正面断面図である。
【図３】図３は、本発明の第２実施例の形態に係る構成を示す斜視図である。
【図４】図４は、本発明の第３実施例の形態に係る構成を示す正面断面図である。
【図５】図５は、本発明の第４実施例の形態に係る構成を示す斜視図である。
【符号の説明】
【００２３】１：本体ケース
２：第２のケース体
３：開口
４：メラミンフォーム拭き取り部
【図１】
2008273157.tif 000003
【図２】
2008273157.tif 000004
【図３】
2008273157.tif 000005
【図４】
2008273157.tif 000006
【図５】
2008273157.tif 000007